(57)【要約】【課題】検体の個数やサイズが変わっても、自在に対応し得る医療検査用カセットを提供する。【解決手段】カセット本体１が全く区画されていない状態の容積最大の基本容器を区画して小室を２個形成するためには、カセット本体１の内周面の長辺側の中央に対向して設けられた２個の溝部１２に、平板状の仕切壁１３が着脱自在に嵌合される。嵌合された仕切壁１３は検体が左右の小室１４に入れられた後、被着する蓋の下面に当接して固定される。これによって、検体が大きい場合には、容積最大の基本容器のまま利用することができると共に、検体が小さい場合や２個ある場合には、仕切壁１３をカセット本体１に嵌合装着させて区画するように仕切り、同サイズの小室を２個形成したうえ、２個の検体を各小室に別々に収納することができる。【選択図】図４
2005091256.tif 000002
【特許請求の範囲】
【請求項１】
カセット本体と蓋とを具備してなり、前記カセット本体が上面を開放し、多数の透孔を有する方形の容器からなり、前記蓋がカセット本体に着脱自在に取り付けられ、多数の透孔を有してなる医療検査用カセットにおいて、前記カセット本体がその内周壁面に設けられた溝部に着脱自在に嵌合された仕切壁により複数個の小室に分割されていることを特徴とする医療検査用カセット。
【請求項２】
溝部が拡張部を有し、仕切壁が端部に前記拡張部に嵌合する膨出部を有する請求項１記載の医療検査用カセット。
【請求項３】
仕切壁が、少なくとも１個の縦仕切壁と少なくとも１個の横仕切壁とが十字状に交叉してなる請求項１又は２記載の医療検査用カセット。
【請求項４】
少なくとも１個の縦仕切壁と少なくとも１個の横仕切壁とが一体的に十字状に交叉してなる請求項３記載の医療検査用カセット。
【請求項５】
少なくとも１個の縦仕切壁と少なくとも１個の横仕切壁とが取り外し自在に組み付けて十字状に交叉してなる請求項３記載の医療検査用カセット。
【請求項６】
蓋及び／又はカセット本体が耐薬品性の透明材料からなる請求項１〜５のいずれか１項に記載の医療検査用カセット。
【請求項７】
透明材料がポリプロピレン樹脂である請求項１〜６のいずれか１項に記載の医療検査用カセット。
【請求項８】
透明材料がポリエステル樹脂である請求項１〜６のいずれか１項に記載の医療検査用カセット。
【発明の詳細な説明】
【技術分野】
【０００１】
本発明は、医療検査用顕微鏡標本の作成に使用する医療検査用カセットに関し、更に詳しくは、大小、単数複数等の様々な検体に対応できる着脱自在の仕切壁を備えた医療検査用カセットに関する。
【背景技術】
【０００２】
従来の医療検査用カセットとしては、例えば図２３、２４に示すようなものが知られている（例えば、特許文献１参照）。図２３は医療検査用カセットの構成を示す断面図であり、図２４は前記カセットから蓋を取り外した状態のカセット本体の上面図である。図に示したように、従来の医療検査用カセットは、耐薬品性合成樹脂からなるカセット本体１と蓋２とを具備してなる。
【０００３】
カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【０００４】
一方、カセット本体１の上面に被着される蓋２は、着脱可能な板状体で、板面に多数の透孔７を有し、裏面の外周面に沿ってカセット本体１内に嵌合するリブ８と、後述する仕切璧１３を両側から挟着するリブ８Ａとを有し、短辺側の一方側には係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【０００５】
そして、カセット本体１の内部は、全く区画されてないものを基本容器とし、カセット本体１と一体的に成形された仕切壁１３で区画される複数の小室（図では９室の例を示している）１４を備えている。実際の医療現場においては、仕切壁１３の無い基本容器のものから仕切壁１３によって区画された小室１４を有する多数の医療検査用カセツトの中から検体のサイズに適合したものをその都度選択して利用される。
【０００６】
すなわち、カセット本体１に検体（図示せず）を入れるに際しては、大きい検体で、個数が１個の場合には、カセット本体１に仕切壁１３の無い基本容器としてのカセットに入れられ、あるいは複数個の場合には、仕切壁１３の比較的少ない大き目の小室１４を有するカセットに入れられ、また、小さい検体で、個数が１個の場合には、仕切壁１３の無い基本容器としてのカセットに入れられ、あるいは複数個の場合には、仕切壁１３が比較的多く、小さ目の小室１４を備えたカセットに入れられる。
【特許文献１】特開２００１−３２４４２８公報
【発明の開示】
【発明が解決しようとする課題】
【０００７】
しかしながら、上記の如く、カセット本体と一体となった仕切壁で仕切って小室を形成するという仕切壁固定方式の医療検査用カセットにおいては、検体の個数やサイズに対応した大小さまざまな小室を１個又は複数個有する多数の種類のカセットを準備しておく必要があり、したがって、カセットの供給メーカーやユーザーにとっては、その生産や在庫の管理が面倒であるばかりでなく、運搬や保管のためのスペースもそれだけ広く必要で、これらは全てコストアップの要因になっていた。
【０００８】
また、パラフィンブロックを作製する工程において、検体を収容したトレイの段部にカセット本体を載せ、カセット本体が液状パラフィンに浸るまで液状パラフィンをカセット本体の上方から検体上に注ぎ足すが、この場合に、仕切璧が邪魔となって液状パラフィンの透過を妨げ、液状パラフィンの注ぎ足しの作業効率を低下させる要因になっていた。
【０００９】
更にまた、液状パラフィンが固化した後トレイを取り去ることにより、検体を包埋したパラフィンがカセット本体の底部に付着したパラフィンブロックが得られるが、このパラフィンブロックを収納ケース内に横向きに並べる場合に、やはり仕切壁が邪魔になってパラフィンブロックの頂部が仕切壁に当たる等して、収納効率を低下させていた。
【００１０】
本発明は、上記諸課題に鑑み、検体の個数やサイズが変わっても、カセットは一種類か、極めて少ない種類で対応することを可能にして、該カセットの生産や在庫管理を容易にするとともに、運搬や保管のためのスペースを最小にし、トータルコストの低減を図ると共に、更にパラフィン注ぎ足しの作業効率を向上させ、パラフィンブロックの収納効率を向上せしめることを主目的する。
【課題を解決するための手段】
【００１１】
上記目的を達成するために、本発明の請求項１は、カセット本体と蓋とを具備してなり、前記カセット本体が上面を開放し、多数の透孔を有する方形の容器からなり、前記蓋がカセット本体に着脱自在に取り付けられ、多数の透孔を有してなる医療検査用カセットにおいて、前記カセット本体がその内周壁面に設けられた溝部に着脱自在に嵌合された仕切壁により複数個の小室に分割されていることを特徴とする医療検査用カセットを内容とする。
【００１２】
本発明の請求項２は、溝部が拡張部を有し、仕切壁が端部に前記拡張部に嵌合する膨出部を有する請求項１記載の医療検査用カセットである。
【００１３】
本発明の請求項３は、仕切壁が、少なくとも１個の縦仕切壁と少なくとも１個の横仕切壁とが十字状に交叉してなる請求項１又は２記載の医療検査用カセットである。
【００１４】
本発明の請求項４は、少なくとも１個の縦仕切壁と少なくとも１個の横仕切壁とが一体的に十字状に交叉してなる請求項３記載の医療検査用カセットである。
【００１５】
本発明の請求項５は、少なくとも１個の縦仕切壁と少なくとも１個の横仕切壁とが取り外し自在に組み付けて十字状に交叉してなる請求項３記載の医療検査用カセットである。
【００１６】
本発明の請求項６は、蓋及び／又はカセット本体が耐薬品性の透明材料からなる請求項１〜５のいずれか１項に記載の医療検査用カセットである。
【００１７】
本発明の請求項７は、透明材料がポリプロピレン樹脂である請求項１〜６のいずれか１項に記載の医療検査用カセットである。
【００１８】
本発明の請求項８は、透明材料がポリエステル樹脂である請求項１〜６のいずれか１項に記載の医療検査用カセットである。
【発明の効果】
【００１９】
本発明の医療検査用カセットは、内部に仕切りの無い状態を基本容器とし、カセット本体がその内周面に設けられた溝部に着脱自在に嵌合された仕切壁により複数個の小室に分割することによって、形、大きさ及び個数の異なる種々の検体に対応して小室を着脱自在に形成することができ、且つカセットは一種類で対応できるので、その生産や在庫管理を容易にするとともに、運搬や保管のためのスペースを最小限にして、コストを低減することが可能となる。
【００２０】
しかもカセット本体の内周面に設けた溝部に仕切壁を嵌合装着することにより、検体の大きさや個数に応じて瞬時に所望の小室を簡単に作ることができる。
【００２１】
また、前記溝部が拡張部を有し、該拡張部に仕切壁の端部に設けた膨出部を嵌合することにより、薬剤液の流れ圧力などによる外力が作用した場合にも仕切壁が離脱するといったトラブルが防止される。
【００２２】
また、パラフィンブロック作製の工程において、パラフィンの透過を妨げる仕切壁を取り外して実施できるので、注ぎ足しの作業効率が高められる。更に、得られたパラフィンブロックを収納ケース内に並べる場合に、仕切壁を取り外すことにより、カセットブロックの一部がカセット本体内に重なり合うのでパーティションの厚みだけスペースを小さくでき、その結果、パラフィンブロックの収納効率が一層高められる。
【００２３】
さらにまた、カセット本体、蓋のいずれか、又はその両方を透明材料で作成することにより、内部の検体の状況を容易に視認することができ、顕微鏡標本作成の効率化、確実化を図るとともに、精度の高い検査結果を得ることができる。
【発明を実施するための最良の形態】
【００２４】
本発明の医療検査用カセット及び仕切壁の材質は、耐薬品性の合成樹脂や金属が好ましく、合成樹脂としては例えばポリアセクール、ポリアミド、ポリカーボネート、ポリエステル、ポリプロピレン等が挙げられ、また金属としてはステンレス等が挙げられる。更に、カセット本体を合成樹脂製とし、蓋を金属製とすることもでき、また、その逆も可能である。
【００２５】
また、カセット本体、蓋のいずれかが、又はその両方が透明材料で作成されることにより、蓋のみが透明材料からなる場合は蓋の外側から、また、カセット本体のみが透明材料からなる場合はカセット本体（側壁又は底部）の外側から、更に、カセット本体と蓋の両方が透明材料からなる場合は、カセット本体及び蓋の両方の外側から、内部の検体の状況を視認することができる。
【００２６】
即ち、カセット内部に収容した検体の状況（大きさ、個数、形状、色、カセット本体内での存在位置、濾紙とともに検体を収容した場合は、濾紙の位置、濾紙上の検体の方向等）を明確に視認することを可能とし、もって、顕微鏡標本作成の効率化、確実化を図るとともに、精度の高い検査結果を得ることができる。
【００２７】
透明樹脂としては、例えば、ポリプロピレン樹脂、ポリエステル（特にPET ）樹脂が好適であり、とりわけ耐薬品性に優れ低コストという点からポリプロピレン樹脂が好適である。
【００２８】
本発明のカセット本体には、その縦方向及び／又は横方向の内周壁面に、仕切壁を着脱自在に嵌合するための溝部が設けられる。溝部は仕切壁の厚さよりも僅かに大きめの巾を有する溝で、その個数は特に制限されず、収納される検体のサイズに応じて適宜決定される。溝部は必ずしも等間隔である必要はなく、異なる間隔であってもよい。等間隔に設けた場合は、同じサイズの小室が形成され、また異間隔に設けた場合は、異なるサイズの小室が形成される。
縦方向の溝部、横方向の溝部の数は特に限定されず、所望の小室の数により適宜決定されるが、通常、縦方向の溝部は１〜４個程度、横方向の溝部は１〜５個程度が好ましい。
【００２９】
溝部は、通常、対向する内周壁面に設けられるが、溝部を一の内周壁面に設け、他の内周壁には溝部に代わる固定手段を設けてもよい。かかる固定手段としては、例えば、仕切壁に対して略垂直方向に設けた、仕切壁の厚さよりも大きい支持部が挙げられる。支持部の大きさはカセット本体の大きさにも依るが、通常２〜１０ｍｍ程度で支持部の目的が達成され、仕切壁が不用意に倒れることが防止される。また、この支持部にスプリング機能を付与することにより、仕切壁は溝部に押し付けられ、不用意な移動を阻止することができる。このようなスプリング機能は、例えば、支持部を５度程度以下の角度で外方に弧状に反らせたり、波形状することにより容易に付与され、これらの可撓性や弾発力を利用して上記した固定効果を得ることができる。
【００３０】
仕切壁は、通常、カセット本体を縦方向（短辺方向）に仕切る縦仕切壁及び横方向（長辺方向）に仕切る横仕切壁、更には、両仕切壁を十字状に交叉した仕切壁とからなる。
【００３１】
縦仕切壁と横仕切壁とを十字状に交叉した仕切壁は、それぞれを一体的に成形又は接着したもの、それぞれの交叉箇所を仕切壁の高さの略１／２の深さで且つ仕切壁の巾よりも僅かに大きめの凹部を設け、両者の凹部を組み付けたもののいずれも好適に用いられるが、所望の大きさ、所望の数の小室を自在に形成できる点で、後者の組み付け型のものが好ましい。
【００３２】
また、溝部の一部を拡張部を有するキノコ型に形成し、該拡張部に仕切壁の端部に設けた膨出部を嵌合するように構成することにより、カセット部材の寸法のばらつき、経年変化等による多少の嵌合ずれが発生しても、また薬剤液の流れ圧力などの外力が仕切壁に働いても仕切壁がカセット本体の溝部から離脱するようなことがない。
【００３３】
本発明の医療検査用カセットは、仕切壁がカセット本体に着脱自在に嵌合されているので、適宜取り外したり、組み替えることにより、小室の数やその大きさを自由に変更することができる。すなわち、仕切壁が、縦仕切壁または横仕切壁のみで小室を形成できることは勿論のこと、これら縦仕切壁と横仕切壁とが十字状に交叉して小室を形成することも容易に可能である。
【実施例】
【００３４】
以下、本発明の医療検査用カセットの実施例を図面に基づいて説明するが、本発明はこれらにより何等限定されるものではない。
【００３５】
実施例１
図１（ａ）、（ｂ）は、本発明の医療検査用カセットの上面図及び側面図、図２及び図３は、図１におけるそれぞれのＡ−Ａ断面図及びＢ−Ｂ断面図である。また、図４はカセットから蓋の部分を取り外して上から視たときのカセット本体の上面図、図５は、カセット本体内部に着脱自在に装着する仕切壁の正面図及びその側面図である。
【００３６】
図１（ａ）、（ｂ）〜図５に示したように、本発明の医療検査用カセットは、カセット本体１と蓋２とを具備してなり、カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【００３７】
また、カセット本体１の上面に嵌合される蓋２は、着脱可能な板状体で、板面に多数の蓋透孔７を有し、短辺側の一方側には前記係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【００３８】
さらに、カセット本体１が全く区画されていない状態の容積最大の基本容器を分割して小室を２室形成するために、カセット本体１の内周壁面の長辺側の中央に対向して設けられた２個の溝部１２には、着脱自在に平板状の仕切壁１３が嵌合される。嵌合された仕切壁１３は、検体（図示せず）が左右の小室１４に入れられた後カセット本体１に被着する蓋２の下面に当接して固定される。
【００３９】
このように、本実施例による医療検査用カセットによれば、検体が大きい場合には、容積最大の基本容器のまま利用することができると共に、検体が小さい場合には、仕切壁１３をカセット本体１に嵌合装着させて区画するように仕切り、同サイズの小室を２個形成したうえ、２個の検体（図示せず）を別々に収納することができる。
【００４０】
なお、以下の実施例においては、医療検査用カセットを構成する各要素のうちで、同一の構成要素についてはその説明を割愛し、それ以外の異なる内容について説明するものとする。
【００４１】
実施例２
実施例１では蓋の裏面の外周面に沿ってカセット本体内に嵌合するリブを有していない形態をについて説明したが、本実施例では該リブを備えた形態について説明する。図６は前述の図３に対応しており、蓋２の裏面の外周面に沿って、カセット本体１内に嵌合するリブ８が形成されている形態の断面図である。
図６、図７から明らかのように、このような形態の蓋２においては、仕切壁１３の両端上部に切欠き部１５を設ければ、リブ８と干渉することなく仕切壁１３としてカセット本体に組み込むことが可能であり、以下の実施例においても同様である。
【００４２】
実施例３
実施例１では容積最大の仕切壁のない基本容器を区画して小室を２個形成するために、カセット本体１の内周壁面の長辺側の中央に、対向した溝部１２を２個設けて実現したが、本実施例では、長辺側のどちらか一方に１個の溝部を設けて同様の小室を形成する場合について説明する。
【００４３】
図８、図９に示したように、この形態での仕切壁１３は、仕切壁本体１６の一方の端部はそのまま溝部１２に嵌合され、他方の端部は該仕切壁本体１６と直交してカセット本体１に内接する支持部１７が形成されている。この場合、例えば、図９に示すように、支持板１７を外方に弧状に反らせてスプリング機能を持たせることにより、この可撓性、弾発性によるスプリング機能によって仕切壁１３は溝部１２に押しつけられ、仕切壁１３の不用意な移動が一層効果的に防止される。
この実施例においても前述と同様に、仕切壁１３は検体が左右の小室１４に入れられた後、被着する蓋２の下面に当接して固定される。
そして、検体が大きい場合には、仕切壁１３を装着しない容積最大の容器のまま利用し、また検体が小さい場合には、仕切壁１３によって仕切り、同サイズの小室を２個形成したうえ、２個の検体（図示せず）を別々に収納することができることは前述の場合と同様である。
【００４４】
実施例４
図１０、図１１（ａ）、（ｂ）に示した形態は、仕切壁を装着しない容積最大の容器を４分割した場合である。本実施例の仕切壁は、前述の実施例１の仕切壁１３の中央上部に、その高さの略１／２の深さの凹部１８を設けて組み付け型の縦仕切壁１９とし、さらに、この凹部１８に直交して嵌合するように中央下部に凹部１８を設けた横仕切壁２０とから構成されている。
【００４５】
このように、本実施例はカセット本体１の内周面の上下に溝部１２を設けたことによって、仕切壁を装着しない場合を容積最大の容器とし、またこれを２分割し、更に４分割して利用する３通りの使い方が、極めて容易に実現できることが特徴である。
【００４６】
実施例５
図１２に示したように、前述と同様、仕切壁を装着しない容積最大の容器を４分割した形態である。本実施例はカセット本体１の短辺側の左右内面の中央にも溝部１２を設けたもので、その上で凹部１８を設けた組み付け型の縦仕切壁１９と横仕切壁２０とを中央で直交した上、各溝部１２に嵌合させた形態である。
本実施例の場合は、縦仕切壁１９と共に横仕切壁２０の先端も溝部１２によってしっかり固定される。
【００４７】
実施例６
前述の実施例までは小室の形状は全て矩形状として形成された形態について説明したが、矩形形状以外の形態について図１３に基ずいて説明する。
図示したように、カセット本体１の内周面の長辺側及び短辺側のそれぞれの中央に対向して２個ずつの溝部１２が設けられていることは、前述の実施例５の場合と同様であるが、ひし形状の枠体２１の４角にそれぞれ凸状部２２を有するひし形状仕切壁２３が別途形成された上、カセット本体１の溝部１２に前記凸状部２２を嵌合固定して利用するものである。
【００４８】
本実施例によれば、カセットの中央にはひし形状の比較的大きい小室１個が、またその周囲には略直角三角形状の比較的小さい小室４個が形成される。尚、ひし形形状は、図１３に破線で示したような円形形状やその他の幾何学的形状であってもよい。
【００４９】
実施例７
図１４に示したように、カセット本体１の内周面の長辺側（横）方向には、２分割する位置ｂ−ｂと、３分割する位置ａ−ａ、ｃ−ｃにそれぞれ対向して２個づつの溝部１２が設けられ、また、短辺側（縦）方向  には２分割する位置ｄ−ｄにも同じ溝部１２が設けられる。
【００５０】
これらの溝部１２に仕切壁を嵌合しない場合は、基本容器としての最大の大きさで利用できる。また、ｂ−ｂの位置１箇所に縦仕切壁１９を嵌合すれば、同一大きさの２個の小室が、ａ−ａ又はｃ−ｃの位置の１箇所に同縦仕切壁１９を嵌合すれば、大小１個ずつの小室が、ａ−ａ及びｃ−ｃの位置の２箇所に同縦仕切壁１９を嵌合すれば、同一大きさの３個の小室が形成され、さらに、ａ−ａ、ｂ−ｂ及びｃ−ｃの位置の３箇所に同縦仕切壁１９を嵌合すれば、大小２個ずつの小室が形成され、そして、この状態において、ｄ−ｄの位置に横仕切壁２０を追加嵌合すれば、大小４個ずつの小室が形成される。以上、小室形成の代表として数例示したが、溝部１２の形成位置とその数を適宜定めることによって、大小様々の大きさの小室を選択的に形成することができる。
【００５１】
実施例８
図１５に示したように、カセット本体１の長辺側、短辺側をそれぞれ３分割する位置の２箇所ずつ、すなわちａ−ａ、ｃ−ｃ、ｅ−ｅ、ｆ−ｆの位置に、前述同様の仕切壁が設けられている。この場合は合計９個の同一大きさの小室が形成される。また、例えばｅ−ｅの位置の仕切壁２０を取り除けば比較的大きい小室が３個、比較的小さい小室が３個形成され、仕切壁を増減することにより小室の数を増減することができる。
【００５２】
実施例９
前述までの仕切壁は  縦横の仕切壁を１ピース毎に嵌合する組み付け型のものであったが、これを縦横一体型の仕切壁とすることも可能である。
図１６〜１９には前述の実施例７の図１４のカセット本体１に嵌合可能な代表的な一体型仕切壁２４を示している。図１６から図１９に示したものは、順次、同小室４個、同小室６個、大小小室各２個、大小小室各４個をそれぞれ形成できる一体型仕切壁２４であり、いずれのものを適用しても、瞬時にして且つ容易に複数の小室を形成できるというメリットがある。
【００５３】
実施例１０
これまでの実施例では、溝部１２の形状と仕切壁１３の端部の形状及びこれら両者の嵌合状態は、図２０（ａ）に示したような矩形状であったが、図２０（ｂ）、（ｃ）に示したように、この溝部１２を拡張部２５を有するキノコ型に形成し、該拡張部１２に嵌合する仕切壁１３の端部は、前記拡張部２５に嵌合する膨出部２６として形成した上、該膨出部２６を溝部１２の真上から嵌合することもできる。
このキノコ型タイプの仕切壁１３は、膨出部２６を除いてその厚さを薄く形成することが可能であり、また、例えば薬液処理の際に薬液の流速が大きい場合でも仕切壁１３の膨出部２６が溝部１２の拡張部２５に嵌合しているので離脱するようなことはなく、信頼性が更に高くなる。
【００５４】
実施例１１
前述までの溝部１２は、カセット本体１の内周面から外側に窪むように形成したが、図２１、２２に示したように、内周面から内側に向かって２個の突条部２７を立設するように形成し、この２個の突条部２７間に形成される溝部１２に仕切壁１３が嵌合されるように形成しても良い。
尚、図２２において、支持部１７は波線で示すように外方に反らせた例を示し、この場合は、実施例３で記載したように、支持部１７の可撓性によるスプリング効果により仕切壁１３は溝部１２内に押し付けられ、不用意に動くことが防止される。
更に、上記実施例９と同様、この２個の突条部２７により形成される溝部１２を拡張部を有するキノコ型に形成し（図示せず）、仕切壁１３の端部は該拡張部に嵌合する膨出部として形成することも可能である。
【産業上の利用可能性】
【００５５】
叙上のとおり、本発明の医療検査用カセットは、内部に仕切りの無い状態を基本容器とし、カセット本体がその内周面に設けられた溝部に着脱自在に嵌合された仕切壁により複数個の小室に分割することによって、形、大きさ及び個数の異なる種々の検体に対応して小室を着脱自在に形成することができ、且つカセットは一種類で対応できるので、その生産や在庫管理を容易にするとともに、運搬や保管のためのスペースを最小限にして、コストを低減することが可能となる。
【００５６】
また、本発明の医療検査用カセットは、パラフィンブロック作製の工程において、パラフィンの透過を妨げる仕切壁を取り外して実施できるので、注ぎ足しの作業効率が高められる。更に、得られたパラフィンブロックを収納ケース内に並べる場合に、仕切壁を取り外すことにより、カセットブロックの一部がカセット本体内に重なり合うのでパーティションの厚みだけスペースを小さくでき、その結果、パラフィンブロックの収納効率が一層高められる。
【図面の簡単な説明】
【００５７】
【図１】（ａ）本発明の実施例１における医療検査用カセットの上面図である。（ｂ）同カセットの側面図である。
【図２】同カセットの図１におけるＡ−Ａ断面図である。
【図３】同カセットの図１におけるＢ−Ｂ断面図である。
【図４】同カセットから蓋の部分を取り外し、上から視たときのカセット本体と仕切壁との関係を示す上面図である。
【図５】同カセットの本体内部に着脱自在に装着する仕切壁の正面図及び側面図である。
【図６】本発明の実施例２における医療検査用カセットの蓋の下面にリブある場合の断面図である。
【図７】同カセットの本体内部に着脱自在に装着する仕切壁の正面図及び側面図である。
【図８】本発明の実施例３における医療検査用カセットの蓋の部分を取り外し、上から視たときのカセット本体と仕切壁との関係を示す上面図である。
【図９】同カセットの本体内部に着脱自在に装着する仕切壁の上面図及び側面図である。
【図１０】本発明の実施例４における医療検査用カセットの蓋の部分を取り外し、上から視たときのカセット本体と仕切壁との関係を示す上面図である。
【図１１】（ａ）同カセットの本体内部に着脱自在に装着する縦仕切壁の正面図及び側面図である。（ｂ）同縦仕切壁に十字状に交叉してなる横仕切壁の正面及び側面図である。
【図１２】本発明の実施例５における医療検査用カセットの蓋の部分を取り外し、上から視たときのカセット本体と仕切壁との関係を示す上面図である。
【図１３】本発明の実施例６における医療検査用カセットの蓋の部分を取り外し、上から視たときのカセット本体と仕切壁との関係を示す上面図である。
【図１４】本発明の実施例７における医療検査用カセットの蓋の部分を取り外し、上から視たときのカセット本体と仕切壁との関係を示す上面図である。
【図１５】本発明の実施例８における医療検査用カセットの蓋の部分を取り外し、上から視たときのカセット本体と仕切壁との関係を示す上面図である。
【図１６】本発明の実施例９における医療検査用カセットに適用される一体型仕切壁を示す平面図である。
【図１７】本発明の実施例９における医療検査用カセットに適用される一体型仕切壁を示す平面図である。
【図１８】本発明の実施例９における医療検査用カセットに適用される一体型仕切壁を示す平面図である。
【図１９】本発明の実施例９における医療検査用カセットに適用される一体型仕切壁を示す平面図である。
【図２０】本発明の実施例１０として医療検査用カセットに形成される溝部と仕切壁との関係を示し（ａ）は基本形の拡大図、（ｂ）、（ｃ）はキノコ型に形成された形態を示す拡大図である。
【図２１】本発明の実施例１１における医療検査用カセットの蓋の部分を取り外し、上から視たときのカセット本体と仕切壁との関係を示す上面図である。
【図２２】同カセットの蓋の部分を取り外し、上から視たときの他のカセット本体と別の仕切壁との関係を示す上面図である。
【図２３】従来の医療検査用カセットの長さ方向の断面図である。
【図２４】同カセットから蓋の部分を取り外し、上から視たときのカセット本体と仕切壁との関係を示す上面図である。
【符号の説明】
【００５８】
１  カセット本体
２  蓋
３  透孔
４  記録部
５  係止溝
６  係止部
７  蓋透孔
８  リブ
９  傾斜状係止片
１０  突縁部
１１  係止片
１２  溝部
１３  仕切壁
１４  小室
１５  切欠き部
１６  仕切壁本体
１７  支持部
１８  凹部
１９  縦仕切壁
２０  横仕切壁
２１  枠体
２２  凸状部
２３  ひし形状仕切壁
２４  一体型仕切壁
２５  拡張部
２６  膨出部
２７  突条部
【図１】
2005091256.tif 000003
【図２】
2005091256.tif 000004
【図３】
2005091256.tif 000005
【図４】
2005091256.tif 000006
【図５】
2005091256.tif 000007
【図６】
2005091256.tif 000008
【図７】
2005091256.tif 000009
【図８】
2005091256.tif 000010
【図９】
2005091256.tif 000011
【図１０】
2005091256.tif 000012
【図１１】
2005091256.tif 000013
【図１２】
2005091256.tif 000014
【図１３】
2005091256.tif 000015
【図１４】
2005091256.tif 000016
【図１５】
2005091256.tif 000017
【図１６】
2005091256.tif 000018
【図１７】
2005091256.tif 000019
【図１８】
2005091256.tif 000020
【図１９】
2005091256.tif 000021
【図２０】
2005091256.tif 000022
【図２１】
2005091256.tif 000023
【図２２】
2005091256.tif 000024
【図２３】
2005091256.tif 000025
【図２４】
2005091256.tif 000026